(57)【要約】【課題】化粧加工が施された石膏ボードの廃材から分離した剥離紙をセメント原燃料等として再利用する。【解決手段】化粧加工が施された石膏ボードの廃材Ｗを破砕する破砕機と、破砕機による破砕物から剥離紙を選別する第１選別機（破砕・選別機２）と、第１選別機から排出された剥離紙から石膏ボード原紙を選別する第２選別機とを備える廃石膏ボードの処理装置１。剥離紙から塩化ビニル紙を分離して剥離紙の塩素濃度を低減し、セメント原燃料等として再利用することができる。剥離紙Ｐ１を破砕する一軸破砕機３を備え、第２選別機は、一軸破砕機から排出された破砕物Ｐ２から石膏ボード原紙Ｐを比重差を利用して選別することができる。一軸破砕機のスクリーン径を１５ｍｍ以下とし、第２選別機に風力選別機４を用いることができる。【選択図】図１
2017029931.tif 000002
【特許請求の範囲】
【請求項１】
化粧加工が施された石膏ボードの廃材を破砕し、
破砕物から剥離紙を選別し、
該剥離紙から石膏ボード原紙を選別することを特徴とする廃石膏ボードの処理方法。
【請求項２】
前記剥離紙を破砕し、
該破砕によって得られた破砕物から石膏ボード原紙を比重差を利用して選別することを特徴とする請求項１に記載の廃石膏ボードの処理方法。
【請求項３】
前記比重差選別を風力を用いて行うことを特徴とする請求項２に記載の廃石膏ボードの処理方法。
【請求項４】
化粧加工が施された石膏ボードの廃材を破砕する破砕機と、
該破砕機による破砕物から剥離紙を選別する第１選別機と、
該第１選別機から排出された剥離紙から石膏ボード原紙を選別する第２選別機とを備えることを特徴とする廃石膏ボードの処理装置。
【請求項５】
前記剥離紙を破砕する一軸破砕機を備え、
前記第２選別機は、該一軸破砕機から排出された破砕物から石膏ボード原紙を比重差を利用して選別することを特徴とする請求項４に記載の廃石膏ボードの処理装置。
【請求項６】
前記一軸破砕機のスクリーン径は１５ｍｍ以下であることを特徴とする請求項５に記載の廃石膏ボードの処理装置。
【請求項７】
前記第２選別機は風力選別機であることを特徴とする請求項４、５又は６に記載の廃石膏ボードの処理装置。
【発明の詳細な説明】
【技術分野】
【０００１】
本発明は、廃石膏ボードの処理方法及び処理装置に関し、特に、化粧加工が施された石膏ボードの廃材から分離した剥離紙をセメント原燃料等として再利用する方法等に関する。
【背景技術】
【０００２】
従来、石膏ボードは、建築物の解体や改装の際に廃材として廃棄され、不燃物として最終処分場に埋め立て処理されていたが、この廃石膏ボードの排出量は年々増加傾向にあるため、最終処分場の逼迫に鑑み、廃石膏ボードから紙を分離して得られた二水石膏をセメントの石膏成分として利用している（例えば、特許文献１参照）。一方、廃石膏ボードから分離した剥離紙は、セメント原燃料や、廃古紙の原料として再利用することが提案されている。
【先行技術文献】
【特許文献】
【０００３】
【特許文献１】特開２０１１−２６１７４号公報
【発明の概要】
【発明が解決しようとする課題】
【０００４】
しかし、化粧加工が施された石膏ボードの廃材から分離した剥離紙には、石膏ボードに粘着された塩化ビニル紙が含まれるため、上述の用途で再利用することができず、その殆どが最終処分されていた。
【０００５】
そこで、本発明は、上記従来技術における問題点に鑑みてなされたものであって、化粧加工が施された石膏ボードの廃材から分離した剥離紙をセメント原燃料等として再利用することを目的とする。
【課題を解決するための手段】
【０００６】
上記目的を達成するため、本発明は、廃石膏ボードの処理方法であって、化粧加工が施された石膏ボードの廃材を破砕し、破砕物から剥離紙を選別し、該剥離紙から石膏ボード原紙を選別することを特徴とする。
【０００７】
本発明によれば、剥離紙から塩化ビニル紙を分離して剥離紙の塩素濃度を低減することができるため、セメント原燃料等として再利用することができる。
【０００８】
上記廃石膏ボードの処理方法において、前記剥離紙を破砕し、該破砕によって得られた破砕物から石膏ボード原紙を比重差を利用して選別することができる。この破砕によって、剥離紙に含まれる石膏ボード原紙及び塩化ビニル紙の大きさを均一化することができるため、両者の比重差を利用して剥離紙から効率よく塩化ビニル紙を分離することができる。また、この比重差選別を風力を用いて行うことができる。
【０００９】
また、本発明は、廃石膏ボードの処理装置であって、化粧加工が施された石膏ボードの廃材を破砕する破砕機と、該破砕機による破砕物から剥離紙を選別する第１選別機と、該第１選別機から排出された剥離紙から石膏ボード原紙を選別する第２選別機とを備えることを特徴とする。本発明によれば、上述のように、剥離紙の塩素濃度を低減し、セメント原燃料等として再利用することができる。
【００１０】
上記廃石膏ボードの処理装置において、前記剥離紙を破砕する一軸破砕機を設け、前記第２選別機は、該一軸破砕機から排出された破砕物から石膏ボード原紙を比重差を利用して選別することができる。一軸破砕機によって、石膏ボード原紙を塩化ビニル紙よりも小さくし、比重差を大きくすることができるため、効率よく塩化ビニル紙を分離することができる。また、剥離紙に混在する石膏粒が粉砕され、剥離紙に付着した石膏が一次分離される。
【００１１】
前記一軸破砕機のスクリーン径を１５ｍｍ以下とすることができる。また、前記第２選別機として風力選別機を用いることができる。上記一軸破砕機によって石膏ボード原紙及び塩化ビニル紙が小さくなっているため、風力選別機での剥離紙の分散性が向上し、選別効率が上昇する。
【発明の効果】
【００１２】
以上のように、本発明によれば、化粧加工が施された石膏ボードの廃材から分離した剥離紙をセメント原燃料等として再利用することが可能となる。
【図面の簡単な説明】
【００１３】
【図１】本発明に係る廃石膏ボードの処理装置の一実施の形態を示す概略図である。
【発明を実施するための形態】
【００１４】
次に、本発明に係る廃石膏ボードの処理装置の一実施の形態について、図１を参照しながら説明する。尚、処理対象の廃石膏ボードＷは、化粧加工が施された石膏ボードの廃材である。
【００１５】
廃石膏ボードの処理装置１は、廃石膏ボードＷを破砕して破砕物から剥離紙Ｐ１を選別する破砕・選別機２と、破砕・選別機２から排出された剥離紙Ｐ１を破砕する一軸破砕機３と、一軸破砕機３から排出された剥離紙Ｐ２から石膏ボード原紙Ｐを比重差を利用して選別する風力選別機４とで構成される。
【００１６】
破砕・選別機２は、粉砕ロールやハンマーを用いた破砕機と、スクリーン等を用いた選別機を組み合わせたものであって、廃石膏ボードＷの破砕と、破砕物からの剥離紙Ｐ１の選別を順次又は略々同時に行う。
【００１７】
一軸破砕機３は、回転刃に破砕対象物を押しつけて削り取るように破砕するものであって、剥離紙Ｐ１が通過するスクリーンの径を１５ｍｍ以下に設定することができる。これにより、設定したスクリーン径を下回る大きさの剥離紙Ｐ２を得ることができる。
【００１８】
風力選別機４は、選別物の各々の終末速度の違いを利用して選別するものであって、拡散室を備えた吹上げ式、サイクロンを有する吸引式等の選別機を使用することができる。
【００１９】
次に、上記構成を有する廃石膏ボードの処理装置１の動作について、同図を参照しながら説明する。
【００２０】
受け入れた廃石膏ボードＷを破砕・選別機２に供給して破砕・選別する。ここで、廃石膏ボードＷの二水石膏の大部分が破砕物Ｃとして回収される。一方、剥離紙Ｐ１には、石膏ボード原紙Ｐと、石膏ボード原紙Ｐに粘着されていた塩化ビニル紙ＶＣ（網掛けで示す）と、石膏ボード原紙Ｐ及び塩化ビニル紙ＶＣに付着する少量の二水石膏Ｇが混在する。
【００２１】
破砕・選別機２から排出された剥離紙Ｐ１を一軸破砕機３に供給して破砕し、剥離紙Ｐ１中の二水石膏Ｇの一部を回収する。一方、一軸破砕機３から排出される剥離紙Ｐ２の石膏ボード原紙Ｐ及び塩化ビニル紙ＶＣは、剥離紙Ｐ１のものよりも小さくなる。これにより、後段の風力選別機４において、石膏ボード原紙Ｐ及び塩化ビニル紙ＶＣの分散性を向上させ、塩化ビニル紙ＶＣの選別効率を高めることができる。また、一軸破砕機３内において、スクリーンを通過するまでの間に石膏ボード原紙Ｐが揉まれて塩化ビニル紙ＶＣよりも小さくなり、石膏ボード原紙Ｐと塩化ビニル紙ＶＣの比重差がさらに大きくなるため、選別効率が高まる。
【００２２】
一軸破砕機３から排出された剥離紙Ｐ２を風力選別機４に供給し、剥離紙Ｐ２から石膏ボード原紙Ｐを比重差を利用して選別する。これにより、石膏ボード原紙Ｐ及び二水石膏Ｇを多く含む剥離紙Ｐ３と、塩化ビニル紙ＶＣを多く含む剥離紙Ｐ４とを得ることができる。
【００２３】
以上より、剥離紙Ｐ１から石膏ボード原紙Ｐを選別して剥離紙Ｐ３を得ることで、廃石膏ボードＷの剥離紙Ｐ３の塩素濃度を低減することができ、剥離紙Ｐ３をセメント原燃料や廃古紙の原料として再利用することができる。
【００２４】
尚、上記実施の形態において、一軸破砕機３以外の破砕機を用いることができると共に、風力選別機４以外の比重差選別機を用いることもでき、その他種々の型式の装置を用いて化粧加工が施された石膏ボードの廃材Ｗを破砕し、破砕物から剥離紙Ｐ１を選別し、さらに石膏ボード原紙Ｐを選別することができる。
【符号の説明】
【００２５】
１  廃石膏ボードの処理装置
２  破砕・選別機
３  一軸破砕機
４  風力選別機
Ｃ  破砕物
Ｇ  二水石膏
Ｐ  石膏ボード原紙
Ｐ１〜Ｐ４  剥離紙
ＶＣ  塩化ビニル紙
Ｗ  廃石膏ボード
【図１】
2017029931.tif 000003